(57)【要約】【課題】  複数の画像表示装置を用いて１系統の映像信号を出力表示する際に、画像表示装置毎にグラフィックボード等の信号源を用意することなく、それぞれの画像表示装置が映像信号の一部を表示して、画像表示装置全体で映像信号の全体を表示する。【解決手段】  第１及び第２の画像表示装置に同じ映像信号を入力する。第１の画像表示装置が、映像信号に応じてドライバ信号Ａ及びＢの生成を開始して表示パネルを駆動することにより、映像信号が示す画面の一部を表示すると共に、スタートパルス信号を生成して第２の画像表示装置に対して送出する。スタートパルス信号に応じて、第２の画像表示装置がドライバ信号Ｃの生成を開始し、ドライバ信号Ｃと、映像信号に応じて生成を開始したドライバ信号Ｄとによって表示パネルを駆動することにより、画面の他の一部を表示する。【選択図】      図１
2007086746.tif 000002
【特許請求の範囲】
【請求項１】
入力された映像信号に応じてドライバ信号を生成して当該装置の表示パネルを駆動する画像表示装置を複数用いて画像を表示する方法において、
前記複数の画像表示装置に同じ映像信号を入力する段階と、
前記複数の画像表示装置のひとつである第１の画像表示装置が、前記映像信号に応じてドライバ信号Ａ及びＢの生成を開始し、当該ドライバ信号Ａ及びＢによって前記表示パネルを駆動することにより、前記映像信号が示す画面の一部を表示する段階と、
前記第１の画像表示装置が、ドライバ信号Ｃの生成開始を指示するスタートパルス信号を生成し、当該他の画像表示装置のひとつである第２の画像表示装置に対して送出する段階と、
前記スタートパルス信号に応じて、前記第２の画像表示装置が前記ドライバ信号Ｃの生成を開始する段階と、
前記第２の画像表示装置が、前記ドライバ信号Ｃと、前記映像信号に応じて生成を開始したドライバ信号Ｄとによって当該装置の表示パネルを駆動することにより、前記画面の他の一部を表示する段階とを含むことを特徴とする画像表示方法。
【請求項２】
請求項１に記載の画像表示方法において、前記ドライバ信号Ａ及びＣはゲートドライバ信号であり、前記ドライバ信号Ｂ及びＤはソースドライバ信号であることを特徴とする画像表示方法。
【請求項３】
請求項１に記載の画像表示方法において、前記ドライバ信号Ａ及びＣはソースドライバ信号であり、前記ドライバ信号Ｂ及びＤはゲートドライバ信号であることを特徴とする画像表示方法。
【請求項４】
請求項１に記載の画像表示方法において、更に、
前記第２の画像表示装置が前記画面の他の一部を表示した後、前記第２の画像表示装置が、ドライバ信号Ｅの生成開始を指示するスタートパルス信号を生成し、当該他の画像表示装置のひとつである第３の画像表示装置に対して送出する段階と、
前記第２の画像表示装置から送出された前記スタートパルス信号に応じて、前記第３の画像表示装置が前記ドライバ信号Ｅの生成を開始する段階と、
前記第３の画像表示装置が、前記ドライバ信号Ｅと、前記映像信号に応じて生成を開始したドライバ信号Ｆとによって当該装置の表示パネルを駆動することにより、前記画面の一部及び前記画面の他の一部の両方と異なる一部を表示する段階と
を含むことを特徴とする画像表示方法。
【請求項５】
入力された映像信号に応じてドライバ信号を生成して当該装置の表示パネルを駆動する画像表示装置を複数備えるシステムにおいて、
前記複数の画像表示装置に同じ映像信号を入力するシステムであって、
前記複数の画像表示装置のひとつである第１の画像表示装置は、前記映像信号に応じてドライバ信号Ａ及びＢの生成を開始し、当該ドライバ信号Ａ及びＢによって前記表示パネルを駆動することにより、前記映像信号が示す画面の一部を表示した後、当該他の画像表示装置のひとつである第２の画像表示装置に対してドライバ信号Ｃの生成開始を指示するスタートパルス信号を送出し、
前記第２の画像表示装置は、前記スタートパルス信号に応じて生成を開始した前記ドライバ信号Ｃと、前記映像信号に応じて生成を開始したドライバ信号Ｄとによって当該装置の表示パネルを駆動することにより、前記画面の他の一部を表示する
ことを特徴とする画像表示システム。
【請求項６】
請求項５に記載の画像表示システムにおいて、前記ドライバ信号Ａ及びＣはゲートドライバ信号であり、前記ドライバ信号Ｂ及びＤはソースドライバ信号であることを特徴とする画像表示システム。
【請求項７】
請求項５に記載の画像表示システムにおいて、前記ドライバ信号Ａ及びＣはソースドライバ信号であり、前記ドライバ信号Ｂ及びＤはゲートドライバ信号であることを特徴とする画像表示システム。
【請求項８】
請求項５に記載の画像表示システムにおいて、
前記第２の画像表示装置は、前記画面の他の一部を表示した後、当該他の画像表示装置のひとつである第３の画像表示装置に対してドライバ信号Ｅの生成開始を指示するスタートパルス信号を送出し、
前記第３の画像表示装置は、前記第２の画像表示装置から送出された前記スタートパルス信号に応じて生成を開始した前記ドライバ信号Ｅと、前記映像信号に応じて生成を開始したドライバ信号Ｆによって当該装置の表示パネルを駆動することにより、前記画面の一部及び前記画面の他の一部の両方と異なる一部を表示する
ことを特徴とする画像表示システム。
【請求項９】
画像表示装置において、
入力された映像信号に応じてドライバ信号Ａ及びＢの生成開始を指示するスタートパルス信号を生成する回路と、
前記スタートパルス信号に応じて前記ドライバ信号Ａ及びＢをそれぞれ生成するドライバ回路Ａ及びＢと、
前記ドライバ信号Ａ及びＢによって駆動される表示パネルとを備え、
前記ドライバ回路Ａは、前記画面の一部を表示するための前記ドライバ信号Ａの生成後、当該装置と同じ映像信号を入力されている当該他の画像表示装置に対し、ドライバ信号の生成開始を指示するスタートパルス信号を生成し、
前記表示パネルは、前記映像信号が示す画面の一部を表示する
ことを特徴とする画像表示装置。
【請求項１０】
画像表示装置において、
入力された映像信号に応じてドライバ信号Ｂの生成開始を指示するスタートパルス信号Ｂを生成する回路と、
前記スタートパルス信号Ｂに応じて前記ドライバ信号Ｂを生成するドライバ回路Ｂと、
当該装置と同じ映像信号を入力されている当該他の画像表示装置にて生成されたスタートパルス信号Ａに応じて、ドライバ信号Ａを生成するドライバ回路Ａと、
前記ドライバ信号Ａ及びＢによって駆動され、前記映像信号が示す画面の一部を表示する表示パネルと
を備えることを特徴とする画像表示装置。
【請求項１１】
入力された映像信号に応じてドライバ信号Ｂの生成開始を指示するスタートパルス信号Ｂを生成する回路と、
前記スタートパルス信号Ｂに応じて前記ドライバ信号Ｂを生成するドライバ回路Ｂと、
当該装置と同じ映像信号を入力されている前段の画像表示装置にて生成されたスタートパルス信号Ａに応じて、ドライバ信号Ａを生成するとともに、前記ドライバ信号Ａの生成後、当該装置と同じ映像信号を入力されている後段の画像表示装置に対し、ドライバ信号の生成開始を指示するスタートパルス信号を生成するドライバ回路Ａと、
前記ドライバ信号Ａ及びＢによって駆動され、前記映像信号が示す画面の一部を表示する表示パネルと
を備えることを特徴とする画像表示装置。
【請求項１２】
請求項９乃至１１のいずれかに記載の画像表示装置において、前記ドライバ信号Ａはゲートドライバ信号であり、前記ドライバ信号Ｂはソースドライバ信号であることを特徴とする画像表示装置。
【請求項１３】
請求項９乃至１１のいずれかに記載の画像表示装置において、前記ドライバ信号Ａはソースドライバ信号であり、前記ドライバ信号Ｂはゲートドライバ信号であることを特徴とする画像表示装置。
【発明の詳細な説明】
【技術分野】
【０００１】
本発明は、液晶表示装置及びこれを用いた画像表示に関し、特に、複数の液晶表示装置を用いた画像表示に関する。
【背景技術】
【０００２】
複数の液晶表示装置に異なる画面を表示するためには、液晶表示装置と同数の信号源を用意する必要があった。具体的には、映像信号出力をひとつ備えるグラフィックスボードを、表示すべき液晶表示装置と同数用意して信号源とする場合や、表示すべき液晶表示装置と同数の映像信号出力を備えるグラフィックスボードを信号源とする場合がある。
【０００３】
本発明に類似した発明を記載した文献として特許文献１を挙げる。
【０００４】
【特許文献１】特開平９−６２２３０号公報
【発明の開示】
【発明が解決しようとする課題】
【０００５】
即ち、従来の技術によれば、一本の映像信号出力を用いて、２つの液晶表示装置の一方に一画面の上半分を表示させると共に、他方に下半分を表示させるといったことは出来なかった。同様に、一本の映像信号出力を用いて、独立した２画面を２つの液晶表示装置にそれぞれ表示させることはできなかった。
【０００６】
このような状況に鑑み、本発明が解決しようとする課題は、複数の画像表示装置を用いて１系統の映像信号を出力表示する技術であって、画像表示装置毎にグラフィックボード等の信号源を用意することなく、それぞれの画像表示装置が映像信号の一部を表示して、画像表示装置全体で映像信号の全体を表示するような技術を提供することである。
【課題を解決するための手段】
【０００７】
上述の課題を解決するため、本発明は次のような画像表示方法を提供する。即ち、入力された映像信号に応じてドライバ信号を生成して当該装置の表示パネルを駆動する画像表示装置を複数用いて画像を表示する方法において、複数の画像表示装置に同じ映像信号を入力する段階と、複数の画像表示装置のひとつである第１の画像表示装置が、映像信号に応じてドライバ信号Ａ及びＢの生成を開始し、当該ドライバ信号Ａ及びＢによって表示パネルを駆動することにより、映像信号が示す画面の一部を表示する段階と、第１の画像表示装置が、ドライバ信号Ｃの生成開始を指示するスタートパルス信号を生成し、当該他の画像表示装置のひとつである第２の画像表示装置に対して送出する段階と、スタートパルス信号に応じて、第２の画像表示装置がドライバ信号Ｃの生成を開始する段階と、第２の画像表示装置が、ドライバ信号Ｃと、映像信号に応じて生成を開始したドライバ信号Ｄとによって当該装置の表示パネルを駆動することにより、画面の他の一部を表示する段階とを含むことを特徴とする画像表示方法を提供する。
【０００８】
ドライバ信号Ａ及びＣはゲートドライバ信号であり、ドライバ信号Ｂ及びＤはソースドライバ信号であってもよいし、或いは、ドライバ信号Ａ及びＣはソースドライバ信号であり、ドライバ信号Ｂ及びＤはゲートドライバ信号であってもよい。
【０００９】
更に、第２の画像表示装置が画面の他の一部を表示した後、第２の画像表示装置が、ドライバ信号Ｅの生成開始を指示するスタートパルス信号を生成し、当該他の画像表示装置のひとつである第３の画像表示装置に対して送出する段階と、第２の画像表示装置から送出されたスタートパルス信号に応じて、第３の画像表示装置がドライバ信号Ｅの生成を開始する段階と、第３の画像表示装置が、ドライバ信号Ｅと、映像信号に応じて生成を開始したドライバ信号Ｆとによって当該装置の表示パネルを駆動することにより、画面の一部及び画面の他の一部の両方と異なる一部を表示する段階とを含むこととしてもよい。
【００１０】
また、本発明は、入力された映像信号に応じてドライバ信号を生成して当該装置の表示パネルを駆動する画像表示装置を複数備えるシステムにおいて、複数の画像表示装置に同じ映像信号を入力するシステムであって、複数の画像表示装置のひとつである第１の画像表示装置は、映像信号に応じてドライバ信号Ａ及びＢの生成を開始し、当該ドライバ信号Ａ及びＢによって表示パネルを駆動することにより、映像信号が示す画面の一部を表示した後、当該他の画像表示装置のひとつである第２の画像表示装置に対してドライバ信号Ｃの生成開始を指示するスタートパルス信号を送出し、第２の画像表示装置は、スタートパルス信号に応じて生成を開始したドライバ信号Ｃと、映像信号に応じて生成を開始したドライバ信号Ｄとによって当該装置の表示パネルを駆動することにより、画面の他の一部を表示することを特徴とする画像表示システムを提供する。
【００１１】
ドライバ信号Ａ及びＣはゲートドライバ信号であり、ドライバ信号Ｂ及びＤはソースドライバ信号であることとしてもよいし、ドライバ信号Ａ及びＣはソースドライバ信号であり、ドライバ信号Ｂ及びＤはゲートドライバ信号であることとしてもよい。
【００１２】
第２の画像表示装置は、画面の他の一部を表示した後、当該他の画像表示装置のひとつである第３の画像表示装置に対してドライバ信号Ｅの生成開始を指示するスタートパルス信号を送出し、第３の画像表示装置は、第２の画像表示装置から送出されたスタートパルス信号に応じて生成を開始したドライバ信号Ｅと、映像信号に応じて生成を開始したドライバ信号Ｆによって当該装置の表示パネルを駆動することにより、画面の一部及び画面の他の一部の両方と異なる一部を表示することとしてもよい。
【００１３】
更に、本発明は、画像表示装置において、入力された映像信号に応じてドライバ信号Ａ及びＢの生成開始を指示するスタートパルス信号を生成する回路（実施の形態にいう第１制御回路）と、スタートパルス信号に応じてドライバ信号Ａ及びＢをそれぞれ生成するドライバ回路Ａ及びＢ（実施の形態にいう第１ソース＆ゲートドライバ）と、ドライバ信号Ａ及びＢによって駆動される表示パネルとを備え、ドライバ回路Ａは、画面の一部を表示するためのドライバ信号Ａの生成後、当該装置と同じ映像信号を入力されている当該他の画像表示装置に対し、ドライバ信号の生成開始を指示するスタートパルス信号を生成し、表示パネルは、映像信号が示す画面の一部を表示することを特徴とする画像表示装置を提供する。
【００１４】
また、画像表示装置において、入力された映像信号に応じてドライバ信号Ｂの生成開始を指示するスタートパルス信号Ｂを生成する回路（第２制御回路）と、スタートパルス信号Ｂに応じてドライバ信号Ｂを生成するドライバ回路Ｂ（第２ソースドライバ）と、当該装置と同じ映像信号を入力されている当該他の画像表示装置にて生成されたスタートパルス信号Ａに応じて、ドライバ信号Ａを生成するドライバ回路Ａ（第２ゲートドライバ）と、ドライバ信号Ａ及びＢによって駆動され、映像信号が示す画面の一部を表示する表示パネルとを備えることを特徴とする画像表示装置を提供する。
【００１５】
これら画像表示装置の表示パネルは例えば液晶パネルであるが、ソースドライバ及びゲートドライバでパネルを駆動するフラットパネルディスプレイ全般に適用可能である。
【００１６】
ドライバ信号Ａはゲートドライバ信号であり、ドライバ信号Ｂはソースドライバ信号であることとしてもよいし、或いは、ドライバ信号Ａはソースドライバ信号であり、ドライバ信号Ｂはゲートドライバ信号であることとしてもよい。
【発明の効果】
【００１７】
本発明によれば、画像表示装置毎にグラフィックボード等の信号源を用意する必要がなく、ひとつの信号源で複数の画像表示装置に異なる画面を表示することが出来る。
【発明を実施するための最良の形態】
【００１８】
本発明の第１の実施の形態である画像表示システム１００について図１を参照して以下に説明する。
【００１９】
液晶表示装置１及び２は信号源３から入力された映像信号を表示する装置である。
【００２０】
信号源３は映像信号Ｓ１を出力する装置であり、例えばコンピュータのビデオカードである。映像信号Ｓ１は例えば色信号ＲＧＢ、水平同期信号Ｈｓｙｎｃ、垂直同期信号Ｖｓｙｎｃ、ドットクロック信号ＣＬＫからなる。映像信号Ｓ１は、２ｎ本（ｎは自然数）のラインからなる一画面を、従来の単一の表示装置に表示する信号である。従来の一般的な液晶表示装置を用いて映像信号Ｓ１を表示する場合、少なくとも２ｎ本のゲートラインを有する単一の液晶パネルを備える必要がある。映像信号Ｓ１は、それぞれｎ本のラインからなる独立した２画面相当の映像信号であってもよいし、２ｎ本のラインからなる連続した一画面相当の映像信号であってもよい。
【００２１】
次に液晶表示装置１の各部について説明する。
【００２２】
第１制御回路１１は、信号源３から映像信号Ｓ１が入力されると、ＲＧＢ信号をスルーして第１ソースドライバ１２に出力する。また、第１制御回路１１は、映像信号Ｓ１に応じて、スタートパルス信号Ｓ２、Ｓ４及びシフトクロック信号Ｓ３、Ｓ５を生成し、第１ソースドライバ１２及び第１ゲートドライバ１３に出力する。
【００２３】
第１ソースドライバ１２は、第１パネル１４のソースライン数に対応するシフトレジスタ群１２ｒを備える。第１制御回路１１から入力されたスタートパルス信号Ｓ２は、シフトレジスタ群１２ｒに入力される。シフトレジスタ群１２ｒは、シフトクロック信号Ｓ３に応じてスタートパルス信号Ｓ２をシフトして出力する。シフトレジスタ群１２ｒの出力に応じて、第１ソースドライバ１２は入力されたＲＧＢ信号をサンプリングし、サンプリングしたデータをＤ−Ａ変換して、第１ソースドライバ信号Ｓ６として第１パネル１４のソースラインに出力する。
【００２４】
第１ゲートドライバ１３は、第１パネル１４のゲートラインＧ１〜Ｇｎ（不図示）に対応するシフトレジスタ群１３ｒを備える。スタートパルス信号Ｓ４はシフトレジスタ群１３ｒに入力され、シフトクロック信号Ｓ５に応じてシフトされた後、ＴＦＴのＯＮ／ＯＦＦ電圧に変換され、第１ゲートドライバ信号Ｓ７としてゲートラインＧ１〜Ｇｎに出力される。これにより、シフトクロック信号Ｓ５に応じて、ゲートラインＧ１、Ｇ２、…、Ｇｎに一本ずつ順番にＯＮ電圧が出力される。
【００２５】
また、第１ゲートドライバ１３は、第１パネル１４の最後段のゲートラインであるｎ本目のゲートラインＧｎにＯＮ電圧を出力した後、第２ゲートドライバ１５に対してスタートパルス信号Ｓ８を出力する。
【００２６】
第１パネル１４は、ｎ本のゲートラインＧ１〜Ｇｎを備えるＴＦＴ液晶パネルであり、ゲートラインＧ１〜Ｇｎのうち、第１ゲートドライバ１３からＯＮ電圧を入力されたゲートラインに対して、第１ソースドライバ信号Ｓ６の書き込みを行う。
【００２７】
次に液晶表示装置２の各部について説明する。
【００２８】
第２制御回路１６は、信号源３からの映像信号Ｓ１が入力されると、ＲＧＢ信号をスルーして第２ソースドライバ１７に出力する。また、第２制御回路１６は、映像信号Ｓ１に応じて、スタートパルス信号Ｓ９及びシフトクロック信号Ｓ１０、Ｓ１１を生成する。このうち、スタートパルス信号Ｓ９及びシフトクロック信号Ｓ１０は第２ソースドライバ１７に出力され、シフトクロック信号Ｓ１１は第２ゲートドライバ１５に対して出力される。第２制御回路１６は、第２ゲートドライバ１５に対してスタートパルス信号を出力しない点で第１制御回路と異なる。第２制御回路１６が出力する映像信号Ｓ１、スタートパルス信号Ｓ９及びシフトクロック信号Ｓ１０は、第１制御回路１１が出力する映像信号Ｓ１、スタートパルス信号Ｓ２及びシフトクロック信号Ｓ３と同じ信号となる。第２制御回路１６が出力するシフトクロック信号Ｓ１１は、第１制御回路１１が出力するシフトクロック信号Ｓ５と同じ信号である。
【００２９】
第２ソースドライバ１７は、第２パネル１８のソースライン数に対応するシフトレジスタ群１７ｒを備える。スタートパルス信号Ｓ９は、シフトレジスタ群１７ｒに入力され、シフトクロック信号Ｓ１０に応じてシフトされて出力される。シフトレジスタ群１７ｒの出力に応じて、第２ソースドライバ１７はＲＧＢ信号をサンプリングし、サンプリングしたデータをＤ−Ａ変換して、第２ソースドライバ信号Ｓ１２として第２パネル１８のソースラインに出力する。
【００３０】
第２ゲートドライバ１５は、第２パネル１８のゲートラインＧｎ＋１〜Ｇ２ｎ（不図示）に対応するシフトレジスタ群１５ｒを備える。シフトレジスタ群１５ｒにおいて、第１ゲートドライバ１３から入力されたスタートパルス信号Ｓ８は、第２制御回路１６から入力されたシフトクロック信号Ｓ１１に応じてシフトされた後、ＴＦＴのＯＮ／ＯＦＦ電圧に変換され、第２ゲートドライバ信号Ｓ１３としてゲートラインＧｎ＋１〜Ｇ２ｎに出力される。これにより、第２ゲートドライバ１５は、第１ゲートドライバ１３からスタートパルス信号Ｓ８を入力された後、第２制御回路１６からのシフトクロック信号Ｓ１１に応じて、ゲートラインＧｎ＋１、Ｇｎ＋２、…、Ｇ２ｎに一本ずつ順番にＯＮ電圧を出力する。
【００３１】
第２パネル１８は、ｎ本のゲートラインＧｎ＋１〜Ｇ２ｎを備えるＴＦＴ液晶パネルであり、ゲートラインＧｎ＋１〜Ｇ２ｎのうち、第２ゲートドライバ１５からＯＮ電圧を入力されたゲートラインに対して、第２ソースドライバ信号Ｓ１２の書き込みを行う。
【００３２】
次に、画像表示システム１００の動作について図２を参照して説明する。映像信号Ｓ１は２ｎ本のラインからなる画面を表すが、このうち第１ラインから第ｎラインまでは第１パネル１４に描画され、第ｎ＋１ラインから第２ｎラインまでは第２パネル１８に描画される。
【００３３】
シフトレジスタ１３ｒに書き込まれたスタートパルス信号Ｓ４が、シフトクロック信号Ｓ５に応答してシフトすることにより、第１ゲートドライバ信号Ｓ７が第１パネル１４のゲートラインＧ１、Ｇ２、…、Ｇｎに順次入力される。これと並行して、シフトクロック信号Ｓ３に応答して、第１ソースドライバ信号Ｓ６が第１パネル１４に入力される。これにより、第１ラインから第ｎラインまでが第１パネルに描画される。
【００３４】
ゲートラインＧｎ宛の第１ゲートドライバ信号Ｓ７を生成すると、第１ゲートドライバ１３は、続いてスタートパルス信号Ｓ８を生成し、第２ゲートドライバ１５に送出する。
【００３５】
スタートパルス信号Ｓ８はシフトレジスタ１５ｒに書き込まれ、シフトクロック信号Ｓ１１に応答してシフトされる。これにより、第２ゲートドライバ信号Ｓ１３が第２パネル１８のゲートラインＧｎ＋１、Ｇｎ＋２、…、Ｇ２ｎに順次入力される。これと並行して、シフトクロック信号Ｓ１０に応答して第２ソースドライバ信号Ｓ１２が第２パネル１８に入力される。これにより、第ｎ＋１ラインから第２ｎラインまでが第２パネルに描画される。
【００３６】
このようにして、２ｎ本のラインで構成される１画面分の映像信号Ｓ１のうち、前半のｎ本のラインは第１パネル１４に表示され、後半のｎ本のラインは第２パネル１８に表示される。
【００３７】
本発明の第２の実施の形態である画像表示システム２００について図３を参照して説明する。前述の画像表示システム１００と同じ働きをする部分については同じ参照符号を付してある。動作が異なる機能ブロックは、第１ソースドライバ２１、第１ゲートドライバ２２、第２ゲートドライバ２３、第２制御回路２４、第２ソースドライバ２５である。
【００３８】
第１ソースドライバ２１は、第１パネル１４のソースライン数に対応するシフトレジスタ群２１ｒを備える。第１制御回路１１から入力されたスタートパルス信号Ｓ２は、シフトレジスタ群２１ｒに入力される。シフトレジスタ群２１ｒは、シフトクロック信号Ｓ３に応じてスタートパルス信号Ｓ２をシフトして出力する。シフトレジスタ群２１ｒの出力に応じて、第１ソースドライバ２１は入力された映像信号をサンプリングし、サンプリングしたデータをＤ−Ａ変換して、第１ソースドライバ信号Ｓ６として第１パネル１４のソースラインに出力する。
【００３９】
また、第１ソースドライバ２１は、第１パネル１４のソースライン数分の映像信号を第１パネル１４に出力するためのシフトクロック信号Ｓ３が第１ソースドライバ２１に入力された後、第２ソースドライバ２５に対してスタートパルスＳ２０を出力する。
【００４０】
第１ゲートドライバ２２はスタートパルス信号Ｓ８を生成・送出しない点で第１ゲートドライバ１３と異なる。その他の点では第１ゲートドライバ１３と同様である。
【００４１】
第２ゲートドライバ２３は、第２パネル１８のゲートラインＧｎ＋１〜Ｇ２ｎ（不図示）に対応するシフトレジスタ群２３ｒを備える。シフトレジスタ群２３ｒにおいて、第２制御回路２４から入力されたスタートパルス信号Ｓ２１は、同じく第２制御回路１６から入力されたシフトクロック信号Ｓ１１に応じてシフトされた後、ＴＦＴのＯＮ／ＯＦＦ電圧に変換され、第２ゲートドライバ信号Ｓ１３としてゲートラインＧｎ＋１〜Ｇ２ｎに出力される。
【００４２】
第２制御回路２４は、信号源３からの映像信号Ｓ１が入力されると、映像信号Ｓ１をスルーして第２ソースドライバ２５に出力する。また、映像信号Ｓ１に応じて、シフトクロック信号Ｓ１０及びＳ１１を生成し、それぞれ第２ゲートドライバ２３及び第２ソースドライバ２５に出力する。ここで第２制御回路２４はスタートパルス信号Ｓ９を生成しない点に注意されたい。
【００４３】
第２ソースドライバ２５は、第２パネル１８のソースライン数に対応するシフトレジスタ群２５ｒを備える。スタートパルス信号Ｓ２０は、シフトレジスタ群２５ｒに入力され、シフトクロック信号Ｓ１０に応じてシフトされて出力される。シフトレジスタ群２５ｒの出力に応じて、第２ソースドライバ２５は映像信号Ｓ１をサンプリングし、サンプリングしたデータをＤ−Ａ変換して、第２ソースドライバ信号Ｓ１２として第２パネル１８のソースラインに出力する。
【００４４】
前述の画像表示システム１００では、第１パネル１４での描画終了と共に、第１ゲートドライバ１３から第２ゲートドライバ１５にスタートパルス信号Ｓ８を送出し、これをトリガーとして第２パネル１８での描画を開始している。これに対し、本実施の形態では、第１ソースドライバ２１は、第１パネル１４のソースライン数分の映像信号を第１パネル１４に出力するためのシフトクロック信号Ｓ３が第１ソースドライバ２１に入力された後、第２ソースドライバ２５に対してスタートパルスＳ２０を出力する。第２ソースドライバ２５は、スタートパルス信号の送信元が異なること以外は、第２ソースドライバ１７と同じ動作をする。
【００４５】
以上、本発明を実施の形態に基づいて説明したが、本発明はこれに限定されるものではなく、当業者の通常の知識の範囲内でその変更や改良が可能であることは勿論である。
【００４６】
例えば、上述の実施例では、２つの液晶パネルからなる実施の形態について説明したが、３以上の液晶パネルからなる実施の形態も可能である。
【００４７】
第１の実施の形態であれば、液晶表示装置１及び２の間に図５に示すような液晶表示装置６を一乃至複数挟む事が考えられるだろう。第１の実施の形態では、スタートパルス信号Ｓ８を第２ゲートドライバ１５に入力したが、その代わりにゲートドライバ３０に入力し、ゲートドライバ３０がパネル１８の描画終了と共に生成するスタートパルス信号Ｓ３０を第２ゲートドライバ１５、或いは後続の液晶表示装置６のゲートドライバ３０に入力する。これにより、信号源３が出力する映像信号Ｓ１を３枚以上のパネルに分割して表示することが可能な画像表示システムを提供することができる。同様に、第２の実施の形態であれば、液晶表示装置４及び５の間に、図６に示すような液晶表示装置７を一乃至複数挟む事が考えられる。
【図面の簡単な説明】
【００４８】
【図１】本発明の第１の実施の形態である画像表示システム１００の機能ブロック図である。
【図２】画像表示システム１００におけるソースドライバ信号とゲートドライバ信号の動作を説明するための図である。
【図３】本発明の第２の実施の形態である画像表示システム２００の機能ブロック図である。
【図４】画像表示システム２００におけるソースドライバ信号とゲートドライバ信号の動作を説明するための図である。
【図５】本発明の実施の形態である画像表示システム３００が備える液晶表示装置６の機能ブロック図である。
【図６】本発明の実施の形態である画像表示システム４００が備える液晶表示装置７の機能ブロック図である。
【符号の説明】
【００４９】
１、２、４、５、６、７    液晶表示装置
３    信号源
１１    第１制御回路
１２、２１    第１ソースドライバ
１２ｒ、１３ｒ、１５ｒ、１７ｒ、２１ｒ、２２ｒ、２３ｒ、２５ｒ、３０ｒ、４０ｒ    シフトレジスタ
１３、２２    第１ゲートドライバ
１４    第１パネル
１５、２３    第２ゲートドライバ
１６、２４    第２制御回路
１７、２５    第２ソースドライバ
１８    第２パネル
３０    ゲートドライバ
４０    ソースドライバ
１００、２００、３００、４００    画像表示システム
【図１】
2007086746.tif 000003
【図２】
2007086746.tif 000004
【図３】
2007086746.tif 000005
【図４】
2007086746.tif 000006
【図５】
2007086746.tif 000007
【図６】
2007086746.tif 000008